(57)【要約】      （修正有）【課題】陰茎を上向きに支持し、陰嚢を下向きに解放して放熱可能とすることにより、陰茎と陰嚢とを区分けし、しかも、装着時に股付け根等の不快感を抑制できる男性用下着を提供する。【解決手段】本男性用下着は、着用者の腰部を一巡可能に形成される腰ひも２と、上縁１ａが下縁１ｂよりも広く形成され、上縁が腰ひもにより支持され、かつ、下縁が着用者の陰茎と陰嚢との間に至り、着用者の陰茎を上向き保持すると共に、着用者の陰嚢を解放する前当布１と、下縁を支持する左右一対の固定ストラップ４とを備え、下縁と固定ストラップとの間に、固定ストラップよりも幅広い幅広部３、３が設けられている。【選択図】図１
2012224971.tif 000002
【特許請求の範囲】
【請求項１】
着用者の腰部を一巡可能に形成される腰ひもと、
上縁が下縁よりも広く形成され、前記上縁が前記腰ひもにより支持され、かつ、前記下縁が着用者の陰茎と陰嚢との間に至り、着用者の陰茎を上向き保持すると共に、着用者の陰嚢を解放する前当布と、
前記下縁を支持する左右一対の固定ストラップとを備え、
前記下縁と前記固定ストラップとの間に、前記固定ストラップよりも幅広い幅広部が設けられていることを特徴とする男性用下着。
【請求項２】
前記固定ストラップの基端部が前記幅広部に連結され、前記固定ストラップは、着用者の臀部側へ延び、かつ、前記固定ストラップの先端部は、前記腰ひもに接続される請求項１記載の男性用下着。
【請求項３】
前記幅広部は、前記前当布の中心線に対して、左右対称に配置される一対のＶ字状布からなる請求項１記載の男性用下着。
【請求項４】
前記幅広部は、前記前当布の前記下縁を一辺とする矩形布からなる請求項１記載の男性用下着。
【請求項５】
前記幅広部は、前記前当布の中心線に対して、左右対称に重ね合わされる一対のＶ字状布からなる請求項１記載の男性用下着。
【発明の詳細な説明】
【技術分野】
【０００１】
本発明は、着用感及び通気性に優れた男性用下着に関するものである。
【背景技術】
【０００２】
男性の下半身に装着される男性用下着としては、昨今、ブリーフ型のものと、トランクス型のものが一般的である。特に、従来の男性用下着では、陰茎と陰嚢とを区分けする機能が不足している。
【０００３】
男性器は、陰茎と陰嚢を主たる部分とする。そのうち、陰嚢は精子の生産等の機能を有し、精子は熱に弱いため、放熱しやすい構造となっている。しかしながら、通常の男性用下着では、布で陰嚢の全体を包囲するようになっており、陰嚢の放熱機能を阻害しがちであるという問題点がある。この点について、トランクスの中では、陰嚢は比較的自由であるといえるが、ブリーフあるいはボクサーブリーフの中では、陰嚢はその周囲をしっかり布地で覆われており、放熱が妨げられている。
【０００４】
一方、陰茎は、陰嚢と異なり、放熱について特に配慮を要しないが、通常の男性用下着では、陰茎を支持する機能がなく、陰茎は、垂れ下がって陰嚢にかぶさる状態にあることが多い。こうなると、陰茎と陰嚢が密着するだけでなく、陰嚢が股付け根に張り付いて、不快感を生じやすいし、特に夏期では、蒸れ、汗、かゆみなどの他、皮膚疾患も発生しやすくなる。
【０００５】
要するに、通常の男性用下着では、陰嚢と陰茎とを区分けすることは想定されておらず、不快感を生じやすかった。この点について、特許文献１（特開２０１１−５２３５６号公報）は、陰茎を上向きに位置決めし、陰嚢と分離する下着を開示する。また、特許文献２（特開２０００−１５４４０１号公報）は、局部当布の左右両側縁に弾性部材を配置した下着を開示する。
【０００６】
これらによれば、ある程度の効果は期待できるが、いずれにしても、陰嚢の放熱が布に覆われることにより阻害され、未だ不十分であると考えられる。
【０００７】
さらに、女性用の下着であると考えられるが、特許文献３（特表２００８−５４２５５４号公報）は、布地の上下に合計４本のストラップを配したパンティーを開示する。
【０００８】
しかしながら、特許文献３に類する下着では、当布の下縁が細い紐に直結されている。男性がこの下着を装着すると、男性器は、周囲の皮膚よりも前方へ出ているから、細い紐がデリケートな陰嚢、あるいはその周囲である股付け根付近に食い込んで、装着感が著しく低下するという問題点がある。なお、女性がこのような下着を装着する場合は、男性ほどの不快感は無いものと考えられる。
【特許文献１】特開２０１１−５２３５６号公報
【特許文献２】特開２０００−１５４４０１号公報
【特許文献３】特表２００８−５４２５５４号公報
【発明の開示】
【発明が解決しようとする課題】
【０００９】
そこで本発明は、陰茎を上向きに支持し、陰嚢を下向きに解放して放熱可能とすることにより、陰茎と陰嚢とを区分けし、しかも、装着時に股付け根等の不快感を抑制できる男性用下着を提供することを目的とする。
【課題を解決するための手段】
【００１０】
第１の発明に係る男性用下着は、着用者の腰部を一巡可能に形成される腰ひもと、上縁が下縁よりも広く形成され、上縁が腰ひもにより支持され、かつ、下縁が着用者の陰茎と陰嚢との間に至り、着用者の陰茎を上向き保持すると共に、着用者の陰嚢を解放する前当布と、下縁を支持する左右一対の固定ストラップとを備え、下縁と固定ストラップとの間に、固定ストラップよりも幅広い幅広部が設けられている。
【００１１】
この構成により、着用者の陰茎は、前当布の中に収まり、上を向いた状態で保持される。また、着用者の陰嚢は、前当布の外部に位置するから、重力により垂れ下がり、しかもその放熱は、前当布に邪魔されることはない。このように、陰茎と陰嚢とが、明確に区分けされて好ましい位置を採ることになるから、着用者は快適にこの下着を使用することができる。
【００１２】
この下着は、腰ひもと固定ストラップにより、所定の状態に支持されるのであるが、前当布の下縁と固定ストラップとの間に、固定ストラップよりも幅広い幅広部が設けられているため、固定ストラップからの圧力が、幅広部の面積によって緩和され、デリケートな部分が強く締め付けられるようなことはない。
【００１３】
このように、陰茎と陰嚢とを区分けし、陰茎を上向きに支持し、陰嚢を下向きに解放して放熱可能とすることにより、装着時における股付け根等の不快感を抑制できる。
【００１４】
第２の発明に係る男性用下着では、第１の発明に加え、固定ストラップの基端部が幅広部に連結され、固定ストラップは、着用者の臀部側へ延び、かつ、固定ストラップの先端部は、腰ひもに接続される。
【００１５】
この構成により、固定ストラップの先端部は、腰ひもに連結され、男性用下着を安定した状態とすることができる。
【００１６】
第３の発明に係る男性用下着では、第１の発明に加え、幅広部は、前当布の中心線に対して、左右対称に配置される一対のＶ字状布からなる。
【００１７】
第４の発明に係る男性用下着では、第１の発明に加え、幅広部は、前当布の下縁を一辺とする矩形布からなる。
【００１８】
第５の発明に係る男性用下着では、第１の発明に加え、幅広部は、前当布の中心線に対して、左右対称に重ね合わされる一対のＶ字状布からなる。
【００１９】
これらの構成により、前当布の下縁と固定ストラップの基端部とを無理なく接続できるだけでなく、着用者の陰茎と陰嚢の間のデリケートな部分をソフトな装着感を維持しながら、保護することができる。
【発明の効果】
【００２０】
本発明によれば、陰茎と陰嚢とを区分けし、陰茎を上向きに支持し、陰嚢を下向きに解放して放熱可能とすることにより、装着時における股付け根等の不快感を抑制できる。
【発明を実施するための最良の形態】
【００２１】
次に、図面を参照しながら、本発明の実施の形態を説明する。
【００２２】
図１は、本発明の一実施の形態における男性用下着の斜視図、図２は、本発明の一実施の形態における男性用下着の装着状態を示す側面図、図３は、本発明の一実施の形態における男性用下着の一部拡大図である。
【００２３】
図１に示すように、この男性用下着は、前当布１と、腰ひも２と、左右一対の固定ストラップ４と、幅広部３とを備える。
【００２４】
腰ひも２は、着用者の腰部１０を一巡可能に形成されるものであり、内部にゴム等の弾性材を設けても良いが、腰部１０に位置を保持できるのであれば、この弾性材を省略しても良い。
【００２５】
前当布１は、装着感、通気性及び汗の吸着性を良好とするため、好ましくは、綿製メッシュ等の柔らかい布地から構成される。前当布１の上縁１ａは、下縁１ｂよりも広く形成され全体としては、下縁１ｂが狭くなる逆台形状をなす。この形状は、装着者のへそ付近から股付け根１３付近の形状にならわせたものである。
【００２６】
前当布１の上縁１ａは、腰ひも２に連結されており、腰ひも２により、装着者の下腹部に接して水平に支持される。
【００２７】
また、図２に示すように、装着時には、前当布１の下縁１ｂは、着用者の陰茎１４と陰嚢１５との間に至り、着用者の陰茎１４の根元を上向き保持するが、着用者の陰嚢１５には下縁１ｂは接触せず、陰嚢１５は下方へ垂れ下がった自然な状態において、男性用下着外へ解放され、その放熱機能が損なわれることはない。なお、図示していないが、一対の固定ストラップ４同士を連結し、これらの直交する補助ストラップを追加して設けても良い。追加箇所としては、陰嚢１５の後部付近が望ましい。このように追加すると、固定ストラップ４のゆるみを抑制できて好適である。
【００２８】
左右一対の固定ストラップ４は、前当布１の下縁１ｂを支持する。下縁１ｂと固定ストラップ４との間に、固定ストラップ４よりも幅広い幅広部３が設けられており、着用者の陰茎１４と陰嚢１５との間には、幅広部３が直接接触する。ここで、図１に示すように、幅広部３の上縁３ａは、前当布１の下縁１ｂと連結され、幅広部３の下縁３ｂは、固定ストラップ４の基端部４ｄと接続される。
【００２９】
幅広部３は、固定ストラップ４とは全く異なる布地で構成しても良いが、固定ストラップ４の基端部４ｄを長めに形成し、長めにした部分を折り曲げて固定ストラップそのものよりも幅が広い部分を作り、これを幅広部３として使用しても良い。幅広部３の具体的構成例の詳細は後述する。
【００３０】
本形態では、図１、図２及び図３に示されるように、固定ストラップ４の基端部４ｄが幅広部３に連結され、固定ストラップ４は、両方の脚１２の間を通って着用者の臀部１１側へ延び、かつ、固定ストラップの先端部は、腰ひも２に接続される。
【００３１】
図３は、腰ひも２への接続部分を拡大したものである。前当布１の上縁１ａの先端部には、円筒状の横向筒部１ｃが形成されている。また、腰ひも２の先端部分には、腰ひも２が二重に通されるエイトカン２ａが設けられ、エイトカン２ａよりも先では、腰ひも２は、輪になっており、その先端部には、Ｚカン２ｂが取り付けられる。
【００３２】
Ｚカン２ｂを横向筒部１ｃに係止すると、腰ひも２の先端部と、前当布１の先端部とが、連結されることになる。
【００３３】
また、エイトカン２ａよりもやや元側に、下向きの下垂筒２ｃが形成されており、腰ひも２と同様に、固定ストラップ４の先端部４ｃには、エイトカン４ａ、Ｚカン４ｂが設けられ、Ｚカン４ｂが下垂筒２ｃに係止されることにより、固定ストラップ４の先端部が、腰ひも２に連結される。
【００３４】
このように、本形態では、固定ストラップ４の先端部を、腰ひも２に連結させるようにしたが、本発明は、この態様に限定されるものではない。例えば、固定ストラップ４の先端部を、脚１１を水平に一巡させて太もも付近で止めるなど、前当布１の下縁１ｂを支障なく支持できるのであれば、その範囲で種々変更することもできる。
【００３５】
即ち、図２、図４に示すように、正しく着用すれば、前当布１の下縁１ｂが股付け根１３に沿って、固定ストラップ４の張力により引かれていることにより、着用者が上体をかがめても、前腹部に前当布１が密着し、陰茎１４は前当布１の中心付近においてしっかり上向きに支持される。
【００３６】
次に、幅広部３の具体的構成例を説明する。図５（ａ）〜図５（ｃ）は、各例における幅広部付近を示す。以下の各例のいずれにおいても、デリケートで敏感な部分に幅広部３が存在し、固定ストラップ４の圧力を緩和するため、違和感を効果的に抑制できる。また、固定ストラップ４は、陰茎１４の付け根からすぐに両股方向へ向う傾向があるが、幅広部３を設けると、陰嚢１５に沿って固定ストラップ４は少し下方へ下げられ、両股の前部に触れずに、陰嚢１５の途中からヒップラインへ向かうようになる。
【００３７】
第１例では、図５（ａ）に示すように、幅広部３は、前当布１の中心線に対して、左右対称に配置される一対のＶ字状布からなる。この場合、左右に分かれた一対のＶ字状布が設けられることになり、固定ストラップ４の張力の方向に合わせて配置することができ、陰茎１４と陰嚢１５との間に作用する圧力を無理なく分散することができる。
【００３８】
第２例では、図５（ｂ）に示すように、幅広部３は、前当布１の下縁１ｂを一辺とする矩形布からなる。この場合、第１例に比べると、圧力の分散の点ではやや劣るが、第１例よりも陰茎１４と陰嚢１５とを明確に区分けする点で優れる。
【００３９】
第３例では、図５（ｃ）に示すように、幅広部３は、前当布１の中心線に対して、左右対称に重ね合わされる一対のＶ字状布からなる。この例では、圧力の分散の点では、第１例と同様であり、区分けの点では、第２例と同様になる。但し、陰茎１４と陰嚢１５との間で、幅広部３が二重となる点で、第１例、第２例よりもやや劣る。
【００４０】
以上の説明から明らかなように、本形態の男性用下着を使用すれば、陰茎を上向きに支持し、陰嚢を下向きに解放して放熱可能とすることができるだけでなく、陰茎と陰嚢とを区分けし、装着時における股付け根等の不快感を抑制できる。
【００４１】
特に、汗をかきやすい臀部１１は、全く覆われていないから、快適に使用できる。
【００４２】
以上のように、この男性用下着は、局部や臀部１１等の敏感な部分をできるだけ覆ったり刺激したりしないようにし、より鈍感な部分に固定ストラップ４等を配置して、陰茎１４を支持し、陰嚢１５及び臀部１１を露出させて放熱を容易にするものである。
【００４３】
なお、この男性用下着を装着すれば、その外側にズボン等の衣服を装着することができる。しかしながら、この男性用下着をインナー下着とし、図２、図４に仮想線で示しているように、トランクス５等（あるいはステテコ等でも良い。）をこの男性用下着の外側に着用し、さらにトランクス５等の外側にズボン等の衣服を着用しても良い。
【００４４】
さらに、以上のいずれの場合においても、陰茎を上向きに支持し、陰嚢を下向きに解放して放熱可能とすることができるから、快適な装着感が得られる。
【図面の簡単な説明】
【００４５】
【図１】本発明の一実施の形態における男性用下着の斜視図
【図２】本発明の一実施の形態における男性用下着の装着状態を示す側面図
【図３】本発明の一実施の形態における男性用下着の一部拡大図
【図４】本発明の一実施の形態における男性用下着の装着状態を示す正面図
【図５】（ａ）本発明の一実施の形態における男性用下着の幅広部付近を示す正面図（第１例）  （ｂ）本発明の一実施の形態における男性用下着の幅広部付近を示す正面図（第１例）  （ｃ）本発明の一実施の形態における男性用下着の幅広部付近を示す正面図（第１例）
【符号の説明】
【００４６】
１  前当布
１ａ、３ａ  上縁
１ｂ、３ｂ  下縁
１ｃ  横向筒部
２  腰ひも
２ａ、４ａ  エイトカン
２ｂ、４ｂ  Ｚカン
２ｃ  下垂筒
３  幅広部
４  固定ストラップ
４ｃ  先端部
４ｄ  基端部
５  トランクス
１０  腰部
１１  臀部
１２  脚
１３  股付け根
１４  陰茎
１５  陰嚢
【図１】
2012224971.tif 000003
【図２】
2012224971.tif 000004
【図３】
2012224971.tif 000005
【図４】
2012224971.tif 000006
【図５】
2012224971.tif 000007